(57)【要約】【課題】プリスキャン時に露光強度の変更を行うことなく、読取ユニットからの光漏れによる眩しさをユーザに感じさせることのない画像形成装置を提供する。【解決手段】開閉部が備える反射板が、閉状態時における原稿押さえの光反射角度とは異なる角度を、基準角度とする。従って、反射板の下方に原稿が置かれて閉状態となり、且つこの状態で原稿に対するプリスキャンが行われた場合、原稿が存在する位置の反射光量と、原稿が存在しない位置の反射光量とに差異が生じる。制御部は、この差異から原稿サイズを判別する。さらに制御部は、原稿のサイズ検知に成功した場合、反射板を傾動させるように傾動部に対して指示する。この結果、反射板の反射角度と、原稿押さえの反射角度とがほぼ平行となる。これにより、反射板からの反射光量と原稿押さえからの反射光量とに差異が生じないようにし、読み取った画像に濃度のばらつきが生じるのを回避する。【選択図】図１
2010028617.tif 000002
【特許請求の範囲】
【請求項１】
透光性を有する原稿台と、前記原稿台の上面に対して接近／離反するように開閉自在に設けられた開閉部と、前記開閉部に設けられた原稿押さえと、前記開閉部の閉状態を検知する閉状態検知部と、前記原稿台及び前記開閉部に光を照射する読取ユニットと、光を受光して光電変換を行う受光部と
を備えた画像読取装置において、
前記開閉部が閉状態となった場合における前記開閉部の下部表面に傾動自在に設けられた光反射部材であり、前記開閉部が閉状態における前記原稿押さえの光反射角度とは異なる角度を基準角度とする反射板と、
前記反射板の傾動を行う傾動部と、
前記閉状態検知部により閉状態が検知された際に前記読取ユニットによる露光を行い、前記露光に対する反射光を前記受光部で受光して原稿のサイズを判別するとともに、判別に成功した場合に、前記原稿押さえの光反射角度と同じ角度へ前記反射板を傾動するように前記傾動部へ指示する制御部とを備えたこと
を特徴とする画像読取装置。
【請求項２】
前記制御部が、前記読取ユニットを用いた画像読み取り処理を完了した際に、前記傾動部に対して前記反射板の傾動停止指示を与え、
前記傾動停止指示を受けた前記傾動部が、前記基準板の角度を前記基準角度に戻すこと
を特徴とする請求項１に記載の画像読取装置。
【請求項３】
前記傾動部が、前記反射板に接触可能な位置に設けられたソレノイドスイッチを備え、前記制御部より傾動指示を受けた際に、前記ソレノイドスイッチに対して電圧を加えることにより前記反射板を加圧して傾動させるとともに、前記制御部より前記傾動停止指示を受けた際に、前記ソレノイドスイッチに対する電圧の印加を停止すること
を特徴とする請求項２に記載の画像読取装置。
【請求項４】
前記ソレノイドスイッチが、前記開閉部が閉状態となった場合における前記反射板の上方、且つ前記開閉部の内部に設けられていること
を特徴とする請求項３に記載の画像読取装置。
【請求項５】
請求項１〜請求項４のいずれかに記載の画像読取装置を備えたこと
を特徴とする画像形成装置。
【発明の詳細な説明】
【技術分野】
【０００１】
本発明は、原稿から画像を読み取る画像読取装置に関するものであり、特に原稿サイズ検知時における光漏れを防止する画像読取装置、及びこれを備えた画像形成装置に関する。
【背景技術】
【０００２】
コピー機、プリンタ、ＦＡＸ等の画像形成装置においては、粉末の現像剤（以下、「トナー」という）が使用され、感光体ドラム等の像担持体上に形成された静電潜像をトナーによって可視化し、そのトナー像を記録媒体（以下、「シート」という）上に転写した後、定着処理を行うものが一般的である。
【０００３】
上記のような画像形成装置のうち、コピー機のように原稿から文字や図面を読み取るものには、画像読取装置が備えられている。画像読取装置は、原稿サイズを検知する原稿サイズ検知機能と、原稿を読み取る原稿読取機能とを備えている。例えば、読取ユニットから原稿に対して露光を行い、その反射光をＣＣＤ（Charge Coupled Device）センサ等のラインセンサで光電変換し、ラインセンサからの信号を量子化して処理することにより、原稿の画像を取得する。
【０００４】
画像読取装置が備える原稿台の天井方向には、原稿押さえを備えた開閉部が開閉自在に設けられている。画像読取装置は、原稿を読み取る前段階において、原稿の状態を検知するための事前走査処理（以下、「プリスキャン」という）を行う。プリスキャンにおいては、原稿からの反射光量と、原稿押さえからの反射光量との違いを、ＣＣＤセンサの出力値から取得する。そして反射光量の違いから、原稿台に載せられた原稿のサイズを判定する。
【０００５】
しかしながらプリスキャンは通常、原稿押さえが開状態から閉状態になる直前に実施される。これは、閉状態になると、原稿からの反射光量と、原稿押さえからの反射光量との差異が小さくなり、原稿サイズの判定が困難になるためである。このように原稿押さえが完全に閉じきっていない状態でプリスキャンが実施されると、原稿台と原稿押さえとの隙間から読取ユニットの光が漏れて、ユーザに眩さを感じさせるという問題があった。
【０００６】
上記に関連して特許文献１には、プリスキャンを行った際に、ユーザが感じる眩しさを低減させることが可能な画像形成装置が開示されている。この画像形成装置は、原稿領域を識別する原稿領域識別モードと、画像形成を行う画像形成モードとのいずれか一方を設定する設定手段を備えている。原稿領域識別モードが設定された場合、蛍光ランプの光量を弱くして、ユーザが感じる眩しさを低減させる。
【特許文献１】特開平０７−１７７３１０号公報
【発明の開示】
【発明が解決しようとする課題】
【０００７】
しかしながら特許文献１の画像形成装置は、露光強度を可変とすることでユーザが感じる眩しさを低減させるというものだが、低減可能な露光強度には限界がある。このため、低減量を最大にしても、眩しさを感じるユーザが存在する可能性があった。
【０００８】
本発明は上記の課題を解決するために考案されたものであり、その目的は、プリスキャン時において露光強度の変更を行うことなく、且つプリスキャン時の光漏れによる眩しさをユーザに感じさせることのない画像読取装置、及びこれを備えた画像形成装置を提供することにある。
【課題を解決するための手段】
【０００９】
上記目的を達成するために本発明の画像読取装置は、透光性を有する原稿台と、前記原稿台の上面に対して接近／離反するように開閉自在に設けられた開閉部と、前記開閉部に設けられた原稿押さえと、前記開閉部の閉状態を検知する閉状態検知部と、前記原稿台及び前記開閉部に光を照射する読取ユニットと、光を受光して光電変換を行う受光部とを備えた画像読取装置において、前記開閉部が閉状態となった場合における前記開閉部の下部表面に傾動自在に設けられた光反射部材であり、前記開閉部が閉状態における前記原稿押さえの光反射角度とは異なる角度を基準角度とする反射板と、前記反射板の傾動を行う傾動部と、前記閉状態検知部により閉状態が検知された際に前記読取ユニットによる露光を行い、前記露光に対する反射光を前記受光部で受光して原稿のサイズを判別するとともに、判別に成功した場合に、前記原稿押さえの光反射角度と同じ角度へ前記反射板を傾動するように前記傾動部へ指示する制御部とを備えたことを特徴としている。
【００１０】
これによると、本発明の画像読取装置は、透光性を有する原稿台と、前記原稿台の上面に対して接近／離反するように開閉自在に設けられた開閉部と、開閉部に設けられた原稿押さえと、開閉部の閉状態を検知する閉状態検知部と、原稿台及び開閉部に光を照射する読取ユニットと、光を受光して光電変換を行う受光部とを備えている。また、開閉部の下側に傾動自在に設けられた反射板を備えている。また、反射板の傾動を行う傾動部と、傾動部の制御を行う制御部とを備えている。
【００１１】
反射板は、閉状態時における原稿押さえの光反射角度（＝原稿台に設置された原稿の反射角度）とは異なる角度を、基準角度とする。従って、反射板の下方に原稿が置かれて閉状態となり、且つこの状態で原稿に対するプリスキャンが行われた場合、原稿が存在する位置の反射光量と、原稿が存在しない位置の反射光量とに差異が生じる。制御部は、この差異から原稿サイズを判別する。このため、開閉部が閉じた状態でも、原稿サイズの判別が可能である。
【００１２】
さらに制御部は、原稿のサイズ検知に成功した場合、反射板を傾動させるように傾動部に対して指示する。この結果、反射板の反射角度と、原稿押さえの反射角度とがほぼ平行となる。このように、反射板を傾動させて角度を変えることにより、反射板からの反射光量と原稿押さえからの反射光量とに差異が生じないようにし、読み取った画像に濃度のばらつきが生じるのを回避する。
【００１３】
また上記目的を達成するために本発明の画像読取装置は、前記制御部が、前記読取ユニットを用いた画像読み取り処理を完了した際に、前記傾動部に対して前記反射板の傾動停止指示を与え、前記傾動停止指示を受けた前記傾動部が、前記基準板の角度を前記基準角度に戻すことを特徴としている。
【００１４】
これによると、本発明の画像読取装置が備える制御部は、読取ユニットを用いた原稿からの画像読み取りを完了した際に、傾動部に対して反射板の加圧停止を指示する。この指示を受けた傾動部は、反射板に対する傾動を停止し、傾動部の角度を基準角度に戻す。これにより、閉状態でもプリスキャンができる状態へ再び移行することが可能である。
【００１５】
また上記目的を達成するために本発明の画像読取装置は、前記傾動部が、前記反射板に接触可能な位置に設けられたソレノイドスイッチを備え、前記制御部より傾動指示を受けた際に、前記ソレノイドスイッチに対して電圧を加えることにより前記反射板を加圧して傾動させるとともに、前記制御部より前記傾動停止指示を受けた際に、前記ソレノイドスイッチに対する電圧の印加を停止することを特徴としている。
【００１６】
これによると、本発明の画像読取装置が備える傾動部は、反射板に接触可能な位置に設けられて反射板を加圧するソレノイドスイッチを備えている。傾動部はソレノイドスイッチに対して電圧を加えることにより、反射板を加圧して傾動させる。これにより、反射板の反射角度を変化させる。このように、既存の部材を使用することで、傾動部の構成を簡易なものにすることができる。
【００１７】
また上記目的を達成するために本発明の画像読取装置は、前記ソレノイドスイッチが、前記開閉部が閉状態となった場合における前記反射板の上方、且つ前記開閉部の内部に設けられていることを特徴としている。
【００１８】
これによると、本発明の画像読取装置が備えるソレノイドスイッチは、開閉部が閉状態となった場合における反射板の上方、且つ開閉部の内部に設けられている。このため、開閉部の開閉状態にかかわらず、確実に反射板の傾動を行うことができる。
【００１９】
また上記目的を達成するために本発明の画像形成装置は、請求項１〜請求項４のいずれかに記載の画像読取装置を備えたことを特徴としている。
【００２０】
これによると、本発明の画像形成装置は、上述の機能を備える画像読取装置を備えている。このため、開閉部が閉じた状態でも原稿サイズの取得が可能な画像形成装置を実現できる。また、読み取った画像に濃度ばらつきが生じるのを回避できる画像形成装置を実現できる。
【発明の効果】
【００２１】
本発明によれば、プリスキャン時に読取ユニットから発せられる光によりユーザに眩しさを感じさせることなく、原稿サイズの検知を行うことができる。また、プリスキャン後に反射板の角度を変化させて原稿読み取りを行うため、原稿の上側の部材、つまり原稿押さえからの反射光量と反射板からの反射光量の違いに起因する、取得画像の濃度ばらつきや色調差発生を回避することができる。
【００２２】
また、原稿設置後に開閉部を閉じた状態でプリスキャンを行うため、従来のように閉動作の途中でプリスキャンを行う場合と比較して、装置外部から読取ユニットに入射する外乱交の影響を受けることなく、プリスキャンを実施することができる。このため外乱光に起因した原稿サイズの誤検知等を防止できる。
【発明を実施するための最良の形態】
【００２３】
以下に、本発明の一実施形態に係る画像形成装置について、図面を参照しつつ説明する。なお、ここで示す実施形態は一例であり、本発明はここに示す実施形態に限定されるものではない。
【００２４】
〈１．装置の概略構成〉
ここで、本発明の一実施形態に係るコピー機１（＝画像形成装置）の概略を、図２を用いて説明する。図２は、コピー機１の概略構成を示す正面から見た模型的断面図である。
【００２５】
図２に示すように、コピー機１は本体部３と、本体部３の上方に配された画像読取装置２とを有している。ここではまず、本体部３の概略構成について説明する。
【００２６】
本体部３は、その内部に、シート供給部２０、シート搬送路２４、画像形成部３０、定着装置４０、シート排出部４３等を備えている。本体部３の中央上方位置には、排紙空間が設けられる。そこで、これらの構成をシートＳの搬送経路に沿って説明する。尚、図２において、シートＳの本体部３内での搬送経路を実線矢印で図示する。
【００２７】
まず、シート供給部２０は、画像形成部３０に向けて、コピー用紙やＯＨＰシート等のシートＳを送り出すためのものであり、本体部３の最下部に設けられる。シート供給部２０は、給紙カセット２１、シート載置板２２、給紙ローラ２３を含むように構成される。
【００２８】
給紙カセット２１は、複数のシートＳを積載し収容するためのものであって、箱型かつ上面が開放されていて、シート補給のため本体部３から引き出して脱着可能である。給紙カセット２１内には、複数のシートＳが載置されるシート載置板２２が設けられる。又、給紙カセット２１のシート搬送方向下流側上部（図２における左上方位置）に、給紙ローラ２３が設けられる。
【００２９】
具体的なシート供給動作をみると、シート載置板２２に設けられたリフト機構（不図示）により、載置された最上位のシートＳは、給紙ローラ２３に当接する状態とされる。そして、コピー機１に対して画像を形成する旨の指示がなされると、給紙ローラ２３は、所定の方向（図２では時計方向）に回転駆動する。これにより、シートＳが１枚ずつシート搬送路２４に送り出される。なお、画像形成指示は、例えば画像読取装置２やパーソナルコンピューター（不図示）から、画像データと共に送られてくる。
【００３０】
シート搬送路２４は、コピー機１内でシートＳを搬送するためのものであり、シート供給部２０から、画像形成部３０、定着装置４０を経て、シート排出部４３までシートＳを搬送する。そのため、シート搬送路２４は、本体部３内を上下方向に貫くように形成される。そして、シート搬送路２４は、搬送ローラ対２５やシートＳを案内するための複数のガイド板（不図示）で構成される。
【００３１】
画像形成部３０のシート搬送方向上流側の手前には、レジストローラ対２６が設けられる。レジストローラ対２６は、搬送されてきたシートＳを一旦止め、シートＳの適切な位置でトナー像が転写されるように、所定のタイミングと速度でシートＳを画像形成部３０に向けて送り出す。
【００３２】
前記画像形成部３０は、画像読取装置２が読み取った原稿やコピー機１に入力された画像データに基づき、形成すべき画像のトナー像を形成し、シートＳに転写を行う。図２の例では、本体部３の中央よりやや左方の位置に配される。そして、画像形成部３０は、像担持体としての感光体ドラム３１、帯電装置３２、露光装置３３、現像装置３４、転写ローラ３６、クリーニング装置３７等で構成されている。
【００３３】
感光体ドラム３１は、画像形成部３０の略中央位置に配され、駆動装置（不図示）によって所定の方向（図２では時計方向）に回転駆動される。前記感光体ドラム３１は例えば、アルミニウム製のドラムの外周面上に、正帯電のＯＰＣやアモルファスシリコンの感光層を有するように構成される。そして、感光体ドラム３１の周面上に静電潜像が形成された後、トナーが供給されトナー像が感光体ドラム３１の周面上に形成される。
【００３４】
帯電装置３２は、図２の例では感光体ドラム３１の右斜め上方に対向して配され、所定の電位で感光体ドラム３１の周面を帯電させる。本実施形態では、帯電装置３２としてコロナ帯電器を用いるが、感光体ドラム３１表面を所定の電位に帯電できるものであれば、帯電ローラやブラシによる帯電装置３２を用いてもよい。
【００３５】
露光装置３３は、図２の例では感光体ドラム３１及び帯電装置３２の右側方に配される。露光装置３３は、一様に帯電された感光体ドラム３１の周面に、形成すべき画像の画像データに基づき、光を感光体ドラム３１に対し照射し、感光体ドラム３１の周面を走査、露光する。これにより、感光体ドラム３１の周面上に静電潜像が形成される。
【００３６】
現像装置３４は、図２の例では感光体ドラム３１の下方に設けられ、トナーを収容するとともに、トナーを所定の電位に帯電させ、そのトナーを感光体ドラム３１の周面上に形成された静電潜像に向けて供給する。現像装置３４内には、トナー供給のため、感光体ドラム３１と所定の隙間が設けられつつ対向する位置に現像ローラ３５が設けられる。現像ローラ３５は、周面にトナーを担持しつつ所定の方向に回転する。現像ローラ３５に所定の電圧が印加されると、トナーは像担持体に向けて飛翔し、静電潜像の現像が行われる。
【００３７】
転写ローラ３６は、図２の例では感光体ドラム３１の左斜め下方に回転可能に支持される。転写ローラ３６は、感光体ドラム３１上に形成されたトナー像をシートＳに転写するためのものであり、感光体ドラム３１に当接し、転写のためのニップを形成する。ニップにシートＳが進入すると、転写ローラ３６に感光体ドラム３１の帯電極性と逆の極性の電圧が印加され、トナー像がシートＳへ転写される。
【００３８】
クリーニング装置３７は、図２の例では感光体ドラム３１の上方に配される。クリーニング装置３７は、感光体ドラム３１の周面上の残トナーや塵芥等を除去、回収するものである。本実施形態では、感光体ドラム３１の軸線方向に伸びて形成されるブレードを感光体ドラム３１に当接させている。ただし、感光体ドラム３１を清掃可能であればローラを用いる形態でもよく、またブレードとローラを併用しても構わない。
【００３９】
前記定着装置４０は、シートＳに転写されたトナー像を加圧、加熱してトナーを溶融し、シートＳに固着させるためのものである。前記定着装置４０は、加熱ローラ４１、加圧ローラ４２等で構成されている。加熱ローラ４１内には発熱体（不図示）が内蔵されている。発熱体は、トナーを溶融できる温度にまで加熱ローラ４１を暖める。加圧ローラ４２は、例えばシリコンゴム等の弾性を有する材料を用いて形成されている。
【００４０】
加熱ローラ４１と加圧ローラ４２とは、圧接されニップを形成している。このニップに、トナー像が転写されたシートＳを進入させることにより、シートＳへのトナーの定着が行われる。定着が完了したシートＳは、排出部４３へと搬送される。そして排出部４３の側方に設けられた排出トレイ４４に向けて、排出ローラ対４５により排出される。
【００４１】
次に、画像読取装置２の概略構成について説明する。
【００４２】
図２に示すように、本実施形態における画像読取装置２は本体部３の上部に備え付けられた箱形の筐体５０を有する。そして、画像読取装置２の上面には、原稿載置面５２が配される。
【００４３】
前記原稿載置面５２は、開閉部１０を持ち上げた上で、読み取るべき原稿を下向きにして原稿を載置する面である。なお、開閉部１０の詳細については後述する。原稿載置面５２における原稿の読み取りは、読取ユニット６０を原稿載置面５２の下方に配置して、ワイヤ５４及び巻取ドラム５５によりホームポジションから図２の右方向に水平に移動させて行う。原稿載置面５２は、例えば、ガラスのような透光性の材料で一定の厚さを有する矩形状の板状部材により形成される。
【００４４】
画像読取装置２の筐体５０内には、図２に示すように、ワイヤ５４、巻取ドラム５５、レンズ５６、イメージセンサ５７（＝受光部）、読取ユニット６０等が配される。読取ユニット６０は、第１読取ユニット６０１と、第２読取ユニット６０２から構成される。なお、第１読取ユニット６０１は上方に、第２読取ユニット６０２は下方に配される。
【００４５】
そして、この第１及び第２読取ユニット６０１、６０２にはワイヤ５４が取り付けられ、ワイヤ５４の他端が巻取ドラム５５につながり、巻取ドラム５５が回転することで、読取ユニット６０が水平方向に移動する。なおワイヤ５４及び巻取ドラム５５は図示している数に限定されるものではなく、複数のものを組み合わせた構成でもよい。
【００４６】
例えば、巻取ドラム５５一つに対して、二本のワイヤ５４が巻き付けられており、この二本のワイヤ５４は、それぞれ長手方向において異なる方向に伸びるように（図２では簡略化のため一本のみ図示）巻取ドラム５５に巻き付けられる。片側につき二本（計四本）のワイヤ５４を複数のプーリ（不図示）によって適宜架け渡し、この二本のワイヤ５４と第１読取ユニット６０１及び第２読取ユニット６０２を連結させる。そして、モータの正逆回転を制御すると、走査方向に沿って自在に読取ユニット６０を移動させることができる。
【００４７】
具体的な読み取り動作について説明すると、読取ユニット６０の光源から発せられた光が、原稿載置面５２上の原稿１９に当たり、その反射光を第１読取ユニット６０１の第１ミラーが、読取ユニット６０の走査方向の上流側に向けて反射する。そして、その光路上には、第２読取ユニット６０２の第２ミラーが配され、第２ミラーは下方に向けて、光を反射する。更に、その光路上には、第３ミラーが配され、第３ミラーは、走査方向下流側に向けて光を反射する。
【００４８】
その後、反射光は、レンズ５６に集光され、例えば、ＣＣＤのラインセンサ等から構成されるイメージセンサ５７で結像され、画像濃度に応じた電気信号に変換される。そして、これらの走査動作を、読取ユニット６０が最初に位置するホームポジションから順次原稿端部まで連続的に行うことで、原稿画像全体が読み取られ、原稿画像がデータ化される。
【００４９】
〈２．開閉部の構造について〉
次に、本発明の一実施形態に係る開閉部１０の詳細を、図３〜図６の模型図、及び図８の斜視図を参照しつつ説明する。
【００５０】
図３〜図５は、画像読取装置２を正面から見た模型的断面図である。図３は原稿載置面５２に原稿が設置されていない状態、図４は原稿載置面５２に原稿が設置され且つ開閉部１０が閉状態となった直後の状態、図５は閉状態となり且つプリスキャンが行われた後の状態を示している。また図６は、原稿１９が設置された原稿載置面５２を、上面から見た模型図である。なお図６においては、下方向が画像読取装置２の正面を示している。また図８は、開閉部１０が開かれ、かつ原稿１９が設置された状態の原稿載置面５２を、斜め上方からみた斜視図である。
【００５１】
開閉部１０は、蓋部１１、原稿押さえ１２、反射板１３、及びソレノイドスイッチ１４を備える開閉部材である。開閉部１０は、原稿載置面５２の上面において、開閉機構１５により開閉自在に設けられている。ユーザは画像の読み取りを実施する際に、図８に示すように開閉部１０を開き、原稿１９を原稿載置面５２に設置する。原稿１９を設置した状態で開閉部１０を閉じることにより、原稿押さえ１２が原稿１９に圧接して読み取り可能状態となる。
【００５２】
開閉機構１５は、その近傍に、開閉部１０の開閉動作を検知する開閉検知部１５ａ（＝閉状態検知部）を備えている。開閉検知部１５ａは、例えば図８に示すように、開閉部１０が閉状態となることにより接触押下される突起部と、突起部に加えられた圧力を検知する圧力センサ（不図示）とを含んでいる。そして圧力センサが突起に対する加圧を検知することにより、開閉検知部１５ａは制御部９０に対して、開閉部１０が閉状態となったことを通知する。
【００５３】
或いは、開閉検知部１５ａとして、ロータリタイプの検出スイッチを用いる形態でもよい。この場合、開閉機構１５内部のヒンジ部が備える角度検出部材が回転し、回転に伴って角度検出部材の可動接点が回転し、所定の角度で固定端子と接触する。これにより固定端子からの電流がＯＮ／ＯＦＦすることで、回転角度を検出して開閉状態を判定する形態でもよい。
【００５４】
開閉部１０が閉じられたことが開閉検知部１５ａにより検知されると、原稿サイズを判定するため、読取ユニット６０によるプリスキャンが行われる。この際、図３に示すように原稿載置面５２に原稿１９が設置されていない場合、読取ユニット６０から出射された光は反射板１３により、原稿押さえ１２の反射角度（＝図中の下）とは異なる角度（＝図中の左）へ反射される。このように、読取ユニット６０が反射光を受光しなかった場合に、制御部１００は原稿載置面５２に原稿１９が設置されていないと判定する。
【００５５】
また図４に示すように、原稿載置面５２に原稿１９が設置されている場合、読取ユニット６０から出射された光は原稿１９により、読取ユニット６０に反射される。ただし、原稿１９が光を反射するのは、例えば図６の例では、読み取りユニット６０の上面に原稿１９が存在する領域２０１のみであり、原稿１９が存在しない領域２０２においては、図３と同様、原稿押さえ１２の反射角度、つまり原稿１９の反射角度とは異なる角度へ出射される。
【００５６】
従って、読取ユニット６０が反射光を受けた領域と受けなかった領域との差異から、制御部１００は原稿サイズの判定を行う。なお図６は、領域２０１及び領域２０２を明確に示すために、開閉部１０を除外した状態を図示している。
【００５７】
また図５に示すように、原稿載置面５２に原稿１９が設置され、且つプリスキャンが完了している場合、ソレノイドスイッチ１４が反射板１３を加圧して傾動させる。これにより反射板１３は、原稿押さえ１２とほぼ同じ角度となり、読取ユニット６０より受けた光を読取ユニット６０の方向へ反射するようになる。これにより原稿押さえ１２から読取ユニット６０に対する反射光量と、反射板１３から読取ユニット６０に対する反射光量とがほぼ同一となるため、原稿１９から画像を読み取った際に、反射光量の違いに起因する画像の濃度ばらつき等を回避できる。
【００５８】
〈３．機能部の構成について〉
次に、本発明の一実施形態に係るコピー機１が含む各装置の機能構成を、図１のブロック図を参照しつつ説明する。
【００５９】
図１のブロック図に示すように、本実施形態のコピー機１は少なくとも、本体部３が備えるシート供給部２０、画像形成部３０、定着装置４０、フラッシュメモリ７１、ＥＥＰＲＯＭ７２、電源部８０、及び制御部９０と、画像読取装置２が備える開閉部１０、開閉機構１５、読取ユニット６０、及び制御部１００とを含むように構成されている。なお、図２〜図６、及び図８において既に説明を行っている装置については、ここでは説明を省略する。
【００６０】
フラッシュメモリ７１は、本体部３が保持する各種データを一時的に記録する記録装置である。フラッシュメモリ７１は、例えば制御部９０が各装置の制御を行うために用いる制御用プログラムや、各種制御によって発生する処理データ、設定データ、ユーザデータ等を記録する役割を持つ。
【００６１】
ＥＥＰＲＯＭ７２は、半導体メモリの一種で、電気的にデータの消去が可能なＲＯＭ（read-only memory）である。フラッシュメモリ７１と異なる点として、１バイト単位の書き込み／消去が可能である。
【００６２】
電源部８０は、本体部３備える各装置に対して駆動電圧を供給する。電源部８０は、例えば外部の商用電源（不図示）や内部バッテリー（不図示）から電力を受けて、交流から直流への変換や整流、電圧調整等を行う。
【００６３】
制御部９０は、本体部３を構成する各装置の動作を制御することにより、印刷処理やシート搬送処理等を実施する。制御部９０は、例えば複数のマイクロプロセッサから構成されている。同様に制御部１００は、画像読取装置２の各装置を制御する。
【００６４】
〈４．原稿読取動作について〉
ここで、本発明の一実施形態に係るコピー機１の原稿読取動作について、図７のフロー図を参照しつつ説明する。
【００６５】
図７に示す処理フローは、コピー機１に電源が投入され、且つ起動処理が完了した状態において、任意のタイミングで開始可能である。本処理の開始後、制御部１００はステップＳ１１０において、開閉部１０の開閉が開閉検知部１５ａにより検知されたかどうかの判定を行う。開閉が検知されていない場合、再びステップＳ１１０に移行し、開閉状態の監視を継続して行う。
【００６６】
開閉が検知された場合、制御部１００はステップＳ１２０において、開状態から閉状態に移行した段階でプリスキャンを行う。そしてプリスキャンの結果に基づき、ステップＳ１３０において、原稿サイズの判定を行う。具体的には、図３及び図４に示すように読取ユニット６０による露光を行い、原稿１９からの反射光を受けた領域２０１（図６）の大きさに基づいて、原稿サイズの判定を行う。なお、図４のように反射光を一切受光しなかった場合は、原稿１９が設置されていないと判定する。
【００６７】
次に制御部１００はステップＳ１４０において、原稿サイズの判定結果に基づき処理を分岐する。ステップＳ１３０において原稿１９が検知できなかった場合、ステップＳ１１０に移行する。原稿１９を検知できた場合、制御部１００はステップＳ１５０において、ソレノイドスイッチ１４に対する電圧の印加を行うことにより反射板１３を加圧し、反射板１３の傾動を行う。これにより、図５に示すように、反射板１３の反射面が原稿載置面５２とほぼ一致する角度となる。
【００６８】
次に制御部１００はステップＳ１６０において、読取ユニット６０による原稿１９の読み取りを実施する。読み取りの実施が完了すると、制御部１００はステップＳ１７０において、ソレノイドスイッチ１４に対する電圧の印加を停止し、本処理を終了する。これにより反射板１３に対する加圧が解除され、図４に示すように、反射板１３が通常状態の角度（＝基準角度）に復帰する。
【００６９】
以上に説明した本実施形態によると、従来は開閉部１０が閉状態となる直前に実施していたプリスキャンを、開閉部１０が閉じた状態で実施できる。このため、読取ユニット６０から出射される光によりユーザに眩しさを感じさせることなく、プリスキャン及び原稿サイズの取得を行うことができる。
【００７０】
また、原稿１９のプリスキャン実施後に反射板１３の角度を変化させ、原稿押さえ１２とほぼ同じ角度にする。このため、原稿１９の上面に位置する原稿押さえ１２からの反射光量と、反射板１３からの反射光量との違いに起因して、取得画像の一部に濃度ばらつきや色調差が生じるのを回避できる。
【００７１】
また、原稿１９の設置後に原稿押さえ１２を閉じた状態でプリスキャンを行うため、従来のように閉動作の途中でプリスキャンを行う場合と比較して、外部から入射する外乱交の影響を受けることなく、プリスキャンを実施することができる。このため外乱光に起因した原稿サイズの誤検知等を防止できる。
【００７２】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００７３】
従って本発明は、以下の形態にも適用可能である。
（Ａ）本実施形態では、本発明の実施対象としてコピー機１を例に説明を行っているが、上記以外の画像読取装置、及び画像読取装置を備えた画像形成装置において本発明を実施したとして、同様の効果が達成される。例えば、スキャナ装置、複合機、ＦＡＸ装置等の画像読取装置において実施することが可能である。
【００７４】
（Ｂ）本実施形態では、本発明の原稿読取動作に関連する処理が、マイクロプロセッサ等の演算処理装置上でプログラムを実行することにより実現されているが、各処理が複数の回路により実施される形態でもよい。
【００７５】
（Ｃ）反射板１３を傾動させる部材としてソレノイドスイッチ１４を例に説明を行ったが、これ以外の部材を用いて反射板１３を傾動する形態でもよい。例えば反射板１３が回転駆動するための回転軸（不図示）にモータ等を備え、電流を与えることにより回転駆動する形態でもよい。また、反射板１３の形状は図３〜図５に示される形状に限定されるものではなく、本発明の主旨を逸脱しない範囲内において適宜変更可能である。
【００７６】
（Ｄ）本実施形態では、読取ユニット６０と、レンズ５６及びイメージセンサ５７とが分離した装置構成を例に説明を行っているが、イメージセンサ５７としてＣＣＤ等を用いることにより、レンズ５６及びイメージセンサ５７を読取ユニット６０の内部に含め、一体化した装置構成とする形態でもよい。
【００７７】
（Ｅ）本実施形態では、傾動部１３を傾動させることにより、図６における領域２０１と領域２０２とで読取ユニット６０に対する反射光量に差を生じさせているが、これら以外の部材を用いて、反射光量に差を発生させる形態でもよい。例えば傾動部１３の位置に、光を吸収する機能を備えた部材を備え、プリスキャン時のみ、読取ユニット６０からの入射光を吸収する形態であってもよい。
【図面の簡単な説明】
【００７８】
【図１】は、本発明の画像形成装置の機能構成を示すブロック図である。
【図２】は、本発明の画像形成装置の概略構成を示す正面から見た断面図である。
【図３】は、本発明の画像読取装置の開閉部を示す模型図である。
【図４】は、本発明の画像読取装置の開閉部を示す模型図である。
【図５】は、本発明の画像読取装置の開閉部を示す模型図である。
【図６】は、本発明の画像読取装置を上面から見た模型図である。
【図７】は、本発明の原稿読取処理の処理フローを示すフロー図である。
【図８】は、本発明の画像読取装置を斜め上方から見た斜視図である。
【符号の説明】
【００７９】
１        コピー機（画像形成装置）
２        画像読取装置
１０      開閉部
１２      原稿押さえ
１３      反射板
１４      ソレノイドスイッチ（傾動部）
１５      開閉機構
１５ａ    開閉検知部（閉状態検知部）
５２      原稿台
５７      イメージセンサ
６０      読取ユニット
１００    制御部
【図１】
2010028617.tif 000003
【図２】
2010028617.tif 000004
【図３】
2010028617.tif 000005
【図４】
2010028617.tif 000006
【図５】
2010028617.tif 000007
【図６】
2010028617.tif 000008
【図７】
2010028617.tif 000009
【図８】
2010028617.tif 000010